(57)【要約】【課題】  後処理の処理時間を画像形成装置から用紙が排出される間隔に一致させずに後処理を適正に実行する。【解決手段】  画像形成装置３０は、用紙を適正に排出した場合、正常用紙排出信号を後処理装置５０に出力するが、用紙を適正に排出できなかった場合、異常用紙排出信号を後処理装置５０に出力する。従って、後処理装置５０は正常用紙排出信号を受信した場合には、用紙が適正に排出されたことを認識することができ、異常用紙排出信号を入力した場合には、画像形成装置３０は用紙を適正に排出できなかったことを認識することができる。正常用紙排出信号を受信した場合、正常用紙排出信号に対応するタイミングで排出された用紙に対し、所定の後処理を実行する。異常用紙排出信号を受信した場合には、後処理を実行せずに処理を終了する。【選択図】        図１
2006251723.tif 000002
【特許請求の範囲】
【請求項１】
画像形成装置から排出された用紙に所定の後処理を実行する後処理装置であって、
前記画像形成装置から用紙が正常に排出されたタイミングに対応して前記画像形成装置から発せられた、前記用紙が正常に排出されたことを示す正常排出報知を受け付ける受付手段と、
前記受付手段により前記正常排出報知が受け付けられた場合、前記画像形成装置から発せられた前記正常排出報知に対応するタイミングで排出された用紙に前記後処理が実行されるように制御する制御手段と、
を備えた後処理装置。
【請求項２】
前記画像形成装置は用紙を正常に排出した場合、正常用紙排出信号を出力することにより、前記正常排出報知を発生し、
前記受付手段は、前記正常用紙排出信号を受信することにより、前記正常排出報知を受け付ける、
ことを特徴とする請求項１記載の後処理装置。
【請求項３】
前記画像形成装置は、用紙を排出するタイミングで基本信号を出力すると共に、用紙を正常に排出しなかった場合には、該基本信号に対応するタイミングで特異信号を出力し、
前記受付手段は、前記特異信号を受信せず前記基本信号のみを受信することにより、前記正常排出報知を受け付ける、
ことを特徴とする請求項１記載の後処理装置。
【請求項４】
画像形成装置から排出された用紙に所定の後処理を実行する後処理装置であって、
前記画像形成装置から用紙が正常に排出されなかった場合に前記画像形成装置から発せられた、前記用紙が正常に排出されなかったことを示す不正常排出報知を受け付ける受付手段と、
前記受付手段により前記不正常排出報知が受け付けられた場合、前記後処理の実行が停止されるように制御する制御手段と、
を備えた後処理装置。
【請求項５】
前記画像形成装置は用紙を正常に排出しなかった場合、不正常用紙排出信号を出力することにより、前記不正常排出報知を発生し、
前記受付手段は、前記不正常用紙排出信号を受信することにより、前記不正常排出報知を受け付ける、
ことを特徴とする請求項４記載の後処理装置。
【請求項６】
前記画像形成装置は、用紙を排出するタイミングで基本信号を出力すると共に、用紙を正常に排出しなかった場合には、該基本信号に対応するタイミングで特異信号を出力し、
前記受付手段は、前記特異信号を受信することにより、前記不正常排出報知を受け付ける、
ことを特徴とする請求項４記載の後処理装置。
【請求項７】
前記後処理を正常に実行できない事象が発生した場合、後処理を正常に実行することができないことを示す後処理正常実行不可能信号を前記画像形成装置に出力する出力手段を更に備えたことを特徴とする請求項１乃至請求項６の何れか１項に記載の後処理装置。
【請求項８】
請求項１乃至請求項３の何れか１項に記載の後処理装置に用紙を排出する画像形成装置であって、前記正常排出報知を、前記後処理装置に受け付けられるように発生する発生手段を備えたことと特徴とする画像形成装置。
【請求項９】
請求項４乃至請求項６の何れか１項に記載の後処理装置に用紙を排出する画像形成装置であって、前記不正常排出報知を、前記後処理装置に受け付けられるように発生する発生手段を備えたことと特徴とする画像形成装置。
【請求項１０】
用紙が正常に排出されなかったことを報知する報知手段を更に備えた請求項９記載の画像形成装置。
【請求項１１】
前記報知手段は、用紙が正常に排出されなかったことを、予め定められた外部装置に報知することを特徴とする請求項１０記載おの画像形成装置。
【発明の詳細な説明】
【技術分野】
【０００１】
本発明は、後処理装置及び画像形成装置にかかり、より詳細には、画像形成装置から排出された用紙に所定の後処理を実行する後処理装置及び該画像形成装置に関する。
【背景技術】
【０００２】
従来、画像形成装置に連結され、画像形成装置から排出された用紙に対し、用紙の端を揃えたり、ホッチキス止め等の所定の後処理を実行する後処理装置において、その処理の仕様や後処理装置の構成は、連結される画像形成装置に合わせている。例えば、画像形成装置から排出された用紙の端を揃える後処理が、次に用紙が排出された後に完了するようであれば、当該後処理と次の用紙とが衝突して適正に後処理を実行することができない。そこで、後処理の処理時間を、画像形成装置から用紙が排出される間隔に一致させている。
【０００３】
なお、従来、オプション排出装置と印字装置を制御する外部制御装置を用いた緊急停止手段が提案されている（特許文献１参照）。しかし、排出側からの異常信号に基づき、外部制御装置が、印刷装置に対して多数の制御信号による制御を行なっており、インターフェースや通信制御手段等、印字装置側の動作仕様が極めて複雑かつ高価となっている。また、従来、後処理装置でのJam検出装置が提案されている（特許文献２参照）。しかし、検出手段に加えJob判別手段が必要であり、高価なシステムとなっている。
【特許文献１】特開平7-314857号公報
【特許文献２】特公平2-9349号公報
【発明の開示】
【発明が解決しようとする課題】
【０００４】
本発明は、上記事実に鑑み成されたもので、後処理の処理時間を画像形成装置から用紙が排出される間隔に一致させずに後処理を適正に実行可能な後処理装置及び該画像形成装置を提供することを目的とする。
【課題を解決するための手段】
【０００５】
上記目的を達成するために請求項１に記載の発明の後処理装置は、画像形成装置から排出された用紙に所定の後処理を実行する後処理装置であって、前記画像形成装置から用紙が正常に排出されたタイミングに対応して前記画像形成装置から発せられた、前記用紙が正常に排出されたことを示す正常排出報知を受け付ける受付手段と、前記受付手段により前記正常排出報知が受け付けられた場合、前記画像形成装置から発せられた前記正常排出報知に対応するタイミングで排出された用紙に前記後処理が実行されるように制御する制御手段と、を備えている。
【０００６】
即ち、本発明は、画像形成装置から排出された用紙に所定の後処理を実行する後処理装置である。
【０００７】
上記画像形成装置は、用紙を正常に排出すると、このタイミングに対応して、用紙が正常に排出されたことを示す正常排出報知を発生する。受付手段は、前記画像形成装置から用紙が正常に排出されたタイミングに対応して前記画像形成装置から発せられた、上記正常排出報知を受け付ける。
【０００８】
例えば、請求項２のように、画像形成装置は用紙を正常に排出した場合、正常用紙排出信号を出力することにより、正常排出報知を発生し、受付手段は、正常用紙排出信号を受信することにより、正常排出報知を受け付ける。
【０００９】
また、請求項３のように、画像形成装置は、用紙を排出するタイミングで基本信号を出力すると共に、用紙を正常に排出しなかった場合には、該基本信号に対応するタイミングで特異信号を出力し、受付手段は、特異信号を受信せず基本信号のみを受信することにより、正常排出報知を受け付ける。
【００１０】
そして、制御手段は、受付手段により正常排出報知が受け付けられた場合、画像形成装置から発せられた正常排出報知に対応するタイミングで排出された用紙に後処理が実行されるように制御する。
【００１１】
このように、画像形成装置から正常排出報知に対応するタイミングで排出された用紙に後処理を実行するので、後処理の処理時間を画像形成装置から用紙が排出される間隔に少なくとも一致しなくても、後処理を適正に実行することができる。即ち、後処理の処理時間が画像形成装置から用紙が排出される間隔より短い後処理装置で後処理を適正に実行することができる。
【００１２】
なお、請求項８では、上記画像形成装置を規定している。即ち、請求項８記載の発明は、請求項１乃至請求項３の何れか１項に記載の後処理装置に用紙を排出する画像形成装置であって、前記正常排出報知を、前記後処理装置に受け付けられるように発生する発生手段を備えたことと特徴とする。
【００１３】
請求項４記載の発明は、画像形成装置から排出された用紙に所定の後処理を実行する後処理装置であって、前記画像形成装置から用紙が正常に排出されなかった場合に前記画像形成装置から発せられた、前記用紙が正常に排出されなかったことを示す不正常排出報知を受け付ける受付手段と、前記受付手段により前記不正常排出報知が受け付けられた場合、前記後処理の実行が停止されるように制御する制御手段と、を備えている。
【００１４】
即ち、本発明は、画像形成装置から排出された用紙に所定の後処理を実行する後処理装置である。
【００１５】
上記画像形成装置は、用紙を正常に排出しなかった場合、前記用紙が正常に排出されなかったことを示す不正常排出報知を発生する。
【００１６】
受付手段は、画像形成装置から用紙が正常に排出されなかった場合に画像形成装置から発せられた不正常排出報知を受け付ける。
【００１７】
例えば、請求項５のように、前記画像形成装置は用紙を正常に排出しなかった場合、不正常用紙排出信号を出力することにより、前記不正常排出報知を発生し、前記受付手段は、前記不正常用紙排出信号を受信することにより、前記不正常排出報知を受け付けることを特徴とする。
【００１８】
また、請求項６のように、前記画像形成装置は、用紙を排出するタイミングで基本信号を出力すると共に、用紙を正常に排出しなかった場合には、該基本信号に対応するタイミングで特異信号を出力し、前記受付手段は、前記特異信号を受信することにより、前記不正常排出報知を受け付けることを特徴とする。
【００１９】
そして、制御手段は、受付手段により不正常排出報知が受け付けられた場合、後処理の実行が停止されるように制御する。これにより無駄な後処理の実行を防止することができる。
【００２０】
なお、請求項９は、上記画像形成装置を規定している。即ち、請求項４乃至請求項６の何れか１項に記載の後処理装置に用紙を排出する画像形成装置であって、前記不正常排出報知を、前記後処理装置に受け付けられるように発生する発生手段を備えたことと特徴とする。この画像形成装置は、請求項１０のように、用紙が正常に排出されなかったことを報知する報知手段を更に備えてもよい。この場合、請求項１１のように、報知手段は、用紙が正常に排出されなかったことを、予め定められた外部装置、例えば、画像形成を指示したユーザに対応する外部装置に報知するようにしてもよい。
【００２１】
ところで、上記各後処理装置では、請求項７のように、後処理を正常に実行できない事象が発生した場合、後処理を正常に実行することができないことを示す後処理正常実行不可能信号を画像形成装置に出力する出力手段を更に備えるようにしてもよい。
【００２２】
上記各画像形成装置は、後処理正常実行不可能信号を入力する入力手段を備え、入力手段により後処理正常実行不可能信号が入力された場合、画像形成処理を停止するようにしてもよい。この場合、画像形成装置は、後処理を正常に実行することができないことを報知する報知手段を備える。そして、画像形成処理の停止を指示するための指示手段により該指示があった場合に、画像形成処理を停止するようにしてもよい。
【発明の効果】
【００２３】
以上説明したように本発明によれば、画像形成装置から正常排出報知に対応するタイミングで排出された用紙に後処理を実行するので、後処理の処理時間を画像形成装置から用紙が排出される間隔に少なくとも一致しなくても、後処理を適正に実行することができるという効果がある。
【発明を実施するための最良の形態】
【００２４】
以下、図面を参照して、本発明の実施の形態を詳細に説明する。
【００２５】
図１に示すように、画像形成システムは、画像形成装置３０と、画像形成装置３０から排出された用紙に所定の後処理を実行する後処理装置５０とを備えている。
【００２６】
画像形成装置３０は、操作情報表示装置１２、メモリ部制御部１４、作像部制御部１６、イメージデータ制御部１８、スキャナー部制御部２０、用紙搬送制御部２２を備えている。更に、異常通知装置４１、具体的には、警告ランプ４２、スピーカ４３、無線送信機４４、ＦＡＸ送信機４５、点字パッド４６を備えている。操作情報表示装置１２〜用紙搬送制御部２２、及び異常通知装置４１は、画像形成エンジン制御装置１０により制御される。
【００２７】
画像形成エンジン制御装置１０には後処理機インターフェース３５が接続され、後処理機インターフェース３５は後処理装置５０の後処理機制御装置５１と、３つの信号線３１〜３３で接続されている。信号線３１は、画像形成装置３０から後処理装置５０に、後述する正常用紙排出信号を出力するための信号線であり、信号線３２は、画像形成装置３０から後処理装置５０に、後述する不正常用紙排出信号を出力するための信号線であり、信号線３３は、後処理装置５０から画像形成装置３０に、後述する後処理異常信号を出力するための信号線である。
【００２８】
後処理機インターフェース３５には、後処理機異常受信部３６が接続されている。そして、画像形成エンジン制御装置１０には、異常停止スイッチ３７が接続されている。
【００２９】
後処理装置５０は上記画像形成装置３０の後処理機インターフェース３５と接続された後処理機制御装置５１を備えている。後処理機制御装置５１には、異常表示装置５２、異常停止スイッチ５３、駆動制御部５４、操作表示制御部５５、用紙検知部５６が接続されている。なお、駆動制御部５４により、図示しないスタッカー、ソーター、ステープラー等が駆動し、後処理を実行する。
【００３０】
次に、本実施の形態の作用を説明する。
【００３１】
図２には、画像形成装置３０、より詳細には画像形成エンジン制御装置１０により実行される画像形成処理プログラムのフローチャートが示されている。
【００３２】
図示しないスタートボタンがオンされて本プログラムがスタートすると、ステップ１０２で、画像形成処理を実行する。即ち、スキャナー部制御部２０を介して図示しないスキャナーを制御して、複数の原稿を連続して読み取る。作像部制御部１６を介して、図示しない画像形成部を制御して、上記のように原稿を読みとって得られた画像データに基づいて、用紙に原稿に対応する画像を形成する。そして、用紙搬送制御部２２を介して、図示しないモータなどを制御して、画像が形成された用紙を後処理装置５０に排出する。
【００３３】
ステップ１０４で、用紙を適正に排出できたか否かを判断する。例えば、用紙搬送制御部２２がモータなどを制御して、用紙を後処理装置５０に搬送するが、搬送の途中でジャムにより用紙を排出できなかったり、この他、作像部制御部１６が画像形成を制御して用紙に画像を形成するが、例えば、適正濃度の画像が形成されなかったりした場合は、本ステップ１０４が否定判定される。
【００３４】
ステップ１０４で、用紙を適正に排出できたと判断された場合には、ステップ１０６で、画像形成装置３０は、画像形成装置３０から用紙が正常に排出されたタイミングに対応して用紙が正常に排出されたことを示す正常排出報知を発生する。具体的には、画像形成装置３０は、用紙を正常に排出した場合、信号線３１を介して正常用紙排出信号を、例えば、図４（Ａ）に示すように、信号Ｓ１、Ｓ２のように出力する。
【００３５】
次のステップ１０８で、ジョブが終了したか否かを判断し、ジョブが終了していないと判断された場合には、ステップ１０２に戻る。
【００３６】
一方、ステップ１０４で、用紙を適正に排出できなかったと判断された場合には、ステップ１１０で、画像形成装置３０は、用紙が正常に排出されなかったことを示す不正常排出報知を発生する。具体的には、画像形成装置３０は、用紙を正常に排出しなかった場合、図４（Ｂ）に示すように、不正常用紙排出信号としての異常用紙排出信号を信号線３２を介して出力する。この場合、図４（Ａ）及び図４（Ｂ）に示すように、異常用紙排出信号が出力される場合（符号Ｔ参照）には、正常用紙排出信号は出力されない。
【００３７】
次のステップ１１２で、異常を報知する。即ち、異常通知装置４１により、異常を通知する。具体的には、警告ランプ４２を発光したり、スピーカ４３を介して異常が発生したことを音声出力し、無線送信機４４を介して無線により、例えば、ユーザの端末に異常が発生したことを示す情報を送信し、ＦＡＸ送信機４５によりファクシミリ送信し、点字パッド４６により異常を表示したりする。これにより、音、光、電話出力、無線出力、点字出力による警告手段で作業者に通知することができる。なお、さらに、所定部分を振動することにより、警告するようにしてもよい。
【００３８】
そして、ステップ１１２が実行されると、ステップ１０８を経ないで、本プログラムが終了する。よって、画像形成処理が中止される。
【００３９】
図３には、後処理装置５０によって実行される後処理実行プログラムのフローチャートが示されている。本プログラムは、画像形成装置３０から上記正常用紙排出信号及び異常用紙排出信号を入力したそれぞれの場合にスタートし、ステップ１２２で、正常用紙排出信号を受信したか否かを判断する。前述したように、画像形成装置３０が用紙を適正に排出した場合には、画像形成装置３０は、正常用紙排出信号のみを後処理装置５０に出力する（図４（Ａ）参照）。一方、画像形成装置３０が用紙を適正に排出できなかった場合には、異常用紙排出信号のみを後処理装置５０に出力する（図４（Ｂ）参照）。従って、後処理装置５０は、正常用紙排出信号を受信した場合には、正常排出報知を受け付けたことになり、用紙が適正に排出されたことを認識することができる。また、後処理装置５０は、異常用紙排出信号を入力した場合には、不正常排出報知を受け付けたことになり、画像形成装置３０は用紙を適正に排出できなかったことを認識することができる。
【００４０】
ステップ１２２で、正常用紙排出信号を受信したと判断された場合には、上記のように、用紙が適正に排出されたので、正常用紙排出信号に対応するタイミングで排出された用紙に対し、所定の後処理を実行する。
【００４１】
一方、上記のように、用紙を適正に排出できなかった場合、例えば、搬送の途中のジャムにより、用紙が後処理装置５０に到達しなかった場合には、正常用紙排出信号が出力されず、異常用紙排出信号が出力されるので、ステップ１２２が否定判定され、後処理を実行せずに本プログラムが終了する。また、例えば、上記のように適正濃度の画像が形成されなかった用紙は、後処理装置５０に搬送され、この用紙が搬送されるタイミングでは、正常用紙排出信号は出力されず、異常用紙排出信号が出力されるので、当該用紙には後処理が実行されない。
【００４２】
図５には、後処理装置５０において後処理の異常が発生した場合にこれを後処理装置５０から画像形成装置３０に報知する後処理異常信号出力プログラムのフローチャートが示されている。即ち、後処理の異常が発生した場合には、ステップ１３２で、図４（Ｃ）の符号Ｕ部に示すように、後処理異常信号を画像形成装置３０に信号線３３を介して出力する。
【００４３】
なお、後処理装置５０では、後処理の異常を異常表示装置５２に表示するようにしてもよい。
【００４４】
図６には、画像形成装置３０で実行される異常処理プログラムのフローチャートが示されている。上記のように後処理装置５０から画像形成装置３０に後処理異常信号が出力された場合、本プログラムがスタートし、ステップ１３４で、後処理の異常を報知する。具体的には、異常通知装置４１により前述した各処理を実行する。
【００４５】
次のステップ１３６で、異常停止スイッチがＯＮされたか否かを判断する。例えば、画像形成装置３０の異常停止スイッチ３７がＯＮされたのか、または、後処理装置５０の異常停止スイッチ５３がＯＮされたか否かを判断する。なお、画像形成装置３０の異常停止スイッチ３７がＯＮされた場合には、その信号は直接画像形成エンジン制御装置１０に入力される。一方、後処理装置５０の異常停止スイッチ５３がＯＮされた場合には、信号線３３を介して信号（後処理異常信号とは種類（例えば、周期等）が異なる信号）が後処理機制御装置５１を介して画像形成装置３０に入力される。
【００４６】
異常停止スイッチ（３７又は５３）がＯＮされたと判断された場合に、ステップ１３８で、処理を停止するための処理を実行する。例えば、画像形成途中である場合には、その画像形成を中止し、用紙を排出する。
【００４７】
なお、本実施の形態では、ステップ１３４の後に直ちに１３８を実行するようにしてもよい。
【００４８】
次に、本発明の第２の実施の形態を説明する。
【００４９】
本実施の形態の構成は、前述した第１の実施の形態と略同様であるのでその説明を書略する。
【００５０】
なお、本実施の形態では、信号線３１は、画像形成装置３０から後処理装置５０に、後述するタイミングクロック信号を出力するための信号線であり、信号線３２は、画像形成装置３０から後処理装置５０に、後述するイベント信号を出力するための信号線であり、信号線３３は、後処理装置５０から画像形成装置３０に、後述する後処理異常信号を出力するための信号線である。なお、本実施の形態では、前述した第１の実施の形態における後処理機インターフェース３５に代えて、図しない後処理機通信装置を備えている。
【００５１】
次に、本実施の形態の作用を説明する。
【００５２】
図７には、画像形成装置３０により実行される画像形成処理プログラムのフローチャートが示されている。
【００５３】
本プログラムがスタートすると、ステップ１４２で前述したように画像形成処理を実行する。ステップ１４４で、画像形成処理が開始されてから、用紙が後処理装置５０に排出されるまでの用紙排出期間経過したか否かを判断する。なお、本ステップ１４４は、用紙が現実に後処理装置５０に搬送されたか否かを判断するのではなく、画像形成処理が開始されてから上記用紙排出期間が経過したか否かを判断する。
【００５４】
用紙排出期間が経過していないと判断された場合には、ステップ１４６で、異常が発生したか否かを判断する。例えば、前述したように適正の濃度が形成されなかったり、用紙搬送途中でジャムにより用紙が搬送されなかった場合には、ステップ１４６が肯定され、ステップ１４８で、異常通知装置４１（４２〜４６）を介して異常を報知し、ステップ１５０で、フラグＦを１にセットして、ステップ１４４に戻る。なお、ステップ１４６で、異常が発生していないと判断された場合には、ステップ１４４に戻る。
【００５５】
一方、用紙排出期間が経過したと判断された場合には、ステップ１５２で、フラグＦが１にセットされているか否かを判断する。フラグＦが１にセットされていると判断された場合には、画像形成処理が開始されたときから用紙排出期間が経過するまでの間に異常が発生したと判断されたので、ステップ１５４で、不正常排出報知を発生する。具体的には、図９（Ａ）及び図９（Ｂ）に示すように、同じタイミングでそれぞれ信号線３１、３２を介して、タイミングクロックとイベント信号とを後処理装置５０に出力する。
【００５６】
一方、フラグＦが１にセットされていないと判断された場合には、画像形成処理が開始されたときから用紙排出期間が経過するまでの間に異常が発生していないと判断することができ、この場合、ステップ１５６で、正常排出報知を発生する。具体的には、タイミングクロックのみを出力する。即ち、図９（Ａ）の符号Ｓの部分に示すように、タイミングクロック信号のみを後処理装置５０に出力する。次のステップ１５８で、ジョブが終了したか否かを判断し、ジョブ終了していないと判断された場合には、ステップ１４２に戻り、以上の処理を実行する。
【００５７】
なお、ステップ１５４が実行された場合には、本プログラムを中止するのでジョブの途中であっても以後の画像形成処理は実行されない。
【００５８】
図８には、後処理装置５０により実行される後処理実行プログラムのフローチャートが示されている。本プログラムがスタートすると、ステップ１６２でタイミングクロック信号のみを受信したか否かを判断する。タイミングクロック信号のみが受信された場合（正常排出報知の受付）には、図９（Ａ）及び図９（Ｂ）に示すように、画像形成装置３０では異常が発生していないと判断することができ、タイミングクロック信号を受信したタイミングで排出去れた用紙に対し、ステップ１６４で後処理を実行する。
【００５９】
一方、タイミングクロック信号のみを受信していないと判断された場合、即ち、タイミングクロック信号とイベント信号とを受信した場合（不正常排出報知の受付）には、後処理を実行せずに本プログラムを終了する。
【００６０】
なお、本実施の形態でも、前述した後処理装置５０により実行される後処理異常信号出力プログラム（図５参照）、及び、画像形成装置３０で実行される異常処理プログラム（図６参照）を実行する。
【００６１】
以上説明したように本実施の形態では、画像形成装置から、正常用紙排出信号が出力された場合（第１の実施の形態）、タイミングクロックのみが出力された場合（第２の実施の形態）にそのタイミングで排出された用紙に後処理を実行するので、後処理の処理時間を画像形成装置から用紙が排出される間隔に少なくとも一致しなくても、後処理を適正に実行することができる。
【００６２】
また、前述した実施の形態では、画像形成装置と後処理装置を単純な信号で動作を可能としている。そして、異常時発生時のみ作業者を介在させて異常用紙およびセットを除去し、作業の再設定をすることができる。これにより、画像形成装置からの排出タイミングに合わせて処理できる装置を広範囲に接続使用が可能になる。即ち、少なくとも後処理の処理時間が画像形成装置から用紙が排出される間隔より短い後処理装置で後処理を適正に実行することができる。
【００６３】
更に、作業者への警告手段を複数もつ、特に、点字パッドを持つことで、健常者に限定されずに作業が可能になる。
【００６４】
なお、前述した実施の形態では、正常用紙排出信号、異常用紙排出信号、後処理異常信号を別々の信号線を用いて通信しているが、本発明はこれに限定されるものではなく、例えば、各信号の種類（例えば、周期等）を代えて１つの信号線により通信するようにしてもよい。
【図面の簡単な説明】
【００６５】
【図１】第１の実施の形態における画像形成システムのブロック図である。
【図２】画像形成装置３０の画像形成エンジン制御装置１０により実行される画像形成処理プログラムのフローチャートである。
【図３】後処理装置５０によって実行される後処理実行プログラムのフローチャートである。
【図４】本実施の形態のタイミングチャートであり、（Ａ）は正常用紙排出信号、（Ｂ）は異常用紙排出信号、（Ｃ）は後処理異常信号のタイミングチャートである。
【図５】後処理装置５０により実行される後処理異常信号出力プログラムのフローチャートである。
【図６】画像形成装置３０で実行される異常処理プログラムのフローチャートである。
【図７】画像形成装置３０により実行される画像形成処理プログラムのフローチャートである。
【図８】後処理装置５０により実行される後処理実行プログラムのフローチャートである。
【図９】本実施の形態のタイミングチャートであり、（Ａ）は正常用紙排出信号、（Ｂ）は異常用紙排出信号、（Ｃ）は後処理異常信号のタイミングチャートである。
【符号の説明】
【００６６】
３０    画像形成装置
１０    画像形成エンジン制御装置
４１    異常通知装置
５０    後処理装置
５１    後処理装置制御装置（受付手段、制御手段）
５２    異常表示装置
【図１】
2006251723.tif 000003
【図２】
2006251723.tif 000004
【図３】
2006251723.tif 000005
【図４】
2006251723.tif 000006
【図５】
2006251723.tif 000007
【図６】
2006251723.tif 000008
【図７】
2006251723.tif 000009
【図８】
2006251723.tif 000010
【図９】
2006251723.tif 000011